(57)【特許請求の範囲】
【請求項１】
口腔内の骨に埋め込ませて使用するための歯列矯正用のインプラント構造であって、
前記骨に埋め込まれるスクリュー本体及び該スクリュー本体の頭部にねじが形成された嵌合部を有する第一スクリューと、
前記ねじに螺合可能なプレート固定具と、
前記骨に埋め込まれるスクリュー本体及び頭部を有する第二スクリューと、
前記骨側に向けて配置される第一面と、前記第一面の反対側に配置される第二面と、を有するとともに、前記第一面側から前記嵌合部が嵌合可能な第一取付孔と、前記第二面側から前記第二スクリューを挿入可能であって前記第二スクリューの前記頭部を係止可能な第二取付孔と、が形成されたベースプレートと、
を備え、
前記ベースプレートは、前記骨ではなく前記第一スクリューにより、前記第一面から前記第二面に向かう方向に支持され、
前記ベースプレートは、前記第二スクリューにより、前記第二面から前記第一面に向かう方向に支持され、
前記第一スクリューは、スクリュー軸方向で前記嵌合部と前記スクリュー本体との間に、前記スクリュー軸方向に直交する径方向外側に向けて前記嵌合部及び前記スクリュー本体よりも突出するストッパーを有し、
前記ベースプレートの前記第二取付孔の周囲の前記第一面は、前記ベースプレートの前記第一取付孔の周囲の前記第一面よりも前記ストッパーの厚みと同じ高さで前記第二面から離れる方向に突出している、
歯列矯正用のインプラント構造。
【請求項２】
前記第二取付孔には、前記第一面側から前記第二面側に向けて拡径された座面が形成され、
前記第二スクリューの前記頭部には、前記座面に当接する当接面が設けられている、
請求項１に記載の歯列矯正用のインプラント構造。
【請求項３】
前記ベースプレートはプレート形状をなし、
前記ベースプレートに前記第一取付孔、前記第二取付孔及び歯列矯正に用いる上部構造体を着脱自在に取り付ける取付部が設けられ、
前記第一取付孔又は前記第二取付孔と前記取付部との間には、プレート部分を任意の方向に向けて屈曲させるための切欠部が形成されている、
請求項１又は請求項２に記載の歯列矯正用のインプラント構造。
【請求項４】
前記切欠部は、前記プレート部分の所定箇所の幅寸法を小さくして形成されている、
請求項３に記載の歯列矯正用のインプラント構造。
【請求項５】
第一スクリューと、プレート固定具と、第二スクリューによって骨に対して間接的に固定可能に形成された歯列矯正用のインプラント治具であって、
前記骨側に向けて配置される第一面と、前記第一面の反対側に配置される第二面と、を有する帯状体を備え、
前記第一スクリューは、前記骨に埋め込まれるスクリュー本体と、該スクリュー本体の頭部にねじが形成された嵌合部と、前記スクリュー本体と嵌合部との間に形成されてスクリュー軸方向に直交する径方向外側に向けて前記スクリュー本体及び前記嵌合部よりも突出するストッパーと、を有し、
前記第二スクリューは、前記骨に埋め込まれるスクリュー本体と、頭部と、を有し、
前記帯状体には、前記第一面側から前記第一スクリューの前記嵌合部が嵌合し、且つ該嵌合部に設けられたねじに前記第二面側から前記プレート固定具を螺合可能とする第一取付孔と、前記前記第二面側から前記第二スクリューを挿入可能であって前記第二スクリューの頭部を係止可能とする第二取付孔と、が形成され、
前記帯状体において、前記第二取付孔の周囲の前記第一面は、前記第一取付孔の周囲の前記第一面よりも前記ストッパーの厚みと同じ高さで前記第二面から離れる方向に突出している、
歯列矯正用のインプラント治具。
【発明の詳細な説明】
【技術分野】
【０００１】
本発明は、歯列矯正用のインプラント構造、及び、歯列矯正用のインプラント治具に関する。
【背景技術】
【０００２】
従来、歯列を矯正するための方法には、特定の歯を固定して、固定された歯と移動させる歯（即ち、矯正する歯）とを接続し、矯正する歯を引っ張って動かす矯正方法がある。この矯正方法では、固定された歯と移動させる歯同士で引っ張り合うため、固定した歯も移動する歯の方向に移動してしまうという問題があった。そこで、例えば円筒形状のねじ部を形成したねじ式のインプラントを顎部の骨に埋め込み、このインプラントにプレートやワイヤー等を固定し、そのプレートやワイヤー等の端部を歯に固定することで、固定した歯の移動を抑え、歯列矯正治療が行われている。
【０００３】
例えば、特許文献１には、所定の間隔を保って口腔内の顎骨等の骨にねじ込まれる二本のスクリューを用いてベースプレートを固定する歯列矯正用のインプラント構造が開示されている。このインプラント構造を用いた歯列矯正では、固定されたベースプレートに上部構造がねじ止めされ、該上部構造体を介して歯が矯正されるようにしている。
【先行技術文献】
【特許文献】
【０００４】
【特許文献１】特許第４６８０２０９号公報
【発明の概要】
【発明が解決しようとする課題】
【０００５】
しかしながら、発明者らは、従来の歯列矯正用のインプラント構造では、複数のスクリューを用いてベースプレートを口腔内の顎骨等の骨（以下、単に「骨」とする場合がある）に押さえつけて直接支持させるため、時間経過とともに押さえつけられた方向に骨が沈み込むことを見出した。このような骨の沈み込みが発生すると、ベースプレートと骨との間に徐々に隙間が生じ、ベースプレートが不安定になり、ガタつくという問題が起こる。そして、ベースプレートが不安定になると、ベースプレートに接続されている上部構造体、プレートやワイヤー等の歯列に対する矯正力が低下し、歯列矯正の効果が低減してしまう。
【０００６】
本発明は、上記の問題を解決するためになされたものであって、ベースプレートを安定させて支持することができる歯列矯正用のインプラント構造を提供する。また、このような歯列矯正用のインプラント構造に用いる歯列矯正用のインプラント治具を提供する。
【課題を解決するための手段】
【０００７】
本発明の歯列矯正用のインプラント構造は、口腔内の骨に埋め込ませて使用するための歯列矯正用のインプラント構造であって、前記骨に埋め込まれるスクリュー本体及び該スクリュー本体の頭部にねじが形成された嵌合部を有する第一スクリューと、前記ねじに螺合可能なプレート固定具と、前記骨に埋め込まれるスクリュー本体及び頭部を有する第二スクリューと、前記骨側に向けて配置される第一面と、前記第一面の反対側に配置される第二面と、を有するとともに、前記第一面側から前記嵌合部が嵌合可能な第一取付孔と、前記第二面側から前記第二スクリューを挿入可能であって前記第二スクリューの前記頭部を係止可能な第二取付孔と、が形成されたベースプレートと、を備え、前記ベースプレートは、前記骨ではなく前記第一スクリューにより、前記第一面から前記第二面に向かう方向に支持され、前記ベースプレートは、前記第二スクリューにより、前記第二面から前記第一面に向かう方向に支持され、前記第一スクリューは、スクリュー軸方向で前記嵌合部と前記スクリュー本体との間に、前記スクリュー軸方向に直交する径方向外側に向けて前記嵌合部及び前記スクリュー本体よりも突出するストッパーを有し、前記ベースプレートの前記第二取付孔の周囲の前記第一面は、前記ベースプレートの前記第一取付孔の周囲の前記第一面よりも前記ストッパーの厚みと同じ高さで前記第二面から離れる方向に突出している。
【０００８】
上記の歯列矯正用のインプラント構造では、第一スクリューが顎骨等の骨に埋め込まれ、該骨から突出した嵌合部に第一取付孔を第一面側から嵌合させる形でベースプレートが取り付けられる。そして、ベースプレートの第二面側から第一取付孔内に配置された第一スクリューのねじにプレート固定具を螺合させることで、ベースプレートが第一スクリューに対して固定される。これにより、ベースプレートは、骨ではなく、第一スクリューの嵌合部（及びプレート固定具）によって、第一面から第二面に向かう方向に直接支持される。
一方、第二スクリューがベースプレートの第二面側から第二取付孔に挿通されると共に、第一面から挿通方向前方に突出した部分が顎骨等の骨に埋め込まれることで、ベースプレートは第二スクリューの頭部によって、第二面から第一面に向かう方向に直接支持される。
従って、上記の歯列矯正用のインプラント構造によれば、第一スクリュー及び第二スクリューが骨から抜けることなく、骨に強く固定されるとともに、ベースプレートが骨に直接支持されず、第一スクリュー及び第二スクリューによって直接支持され、骨の上方で安定する。
また、上記の歯列矯正用のインプラント構造によれば、ベースプレートがその厚み方向においてストッパー及びビスによって挟持されるので、ベースプレートがより安定して支持される。
【００１０】
本発明の歯列矯正用のインプラント構造では、前記第二取付孔は、前記第一面側から前記第二面側に向けて拡径された座面を形成し、前記第二スクリューの前記頭部には、前記座面に当接する当接面を有することが好ましい。
上記の歯列矯正用のインプラント構造によれば、第二スクリューが第二面側から第一面側に向けて挿通された際に、当接面が座面に当接するので、ベースプレートの第二面から第一面に向かう方向における第二スクリューの頭部による支持が強くなる。
【００１１】
本発明の歯列矯正用のインプラント構造では、前記ベースプレートはプレート形状をなすとともに、前記ベースプレートに前記第一取付孔、前記第二取付孔及び歯列矯正に用いる上部構造体を着脱自在に取り付ける取付部が設けられ、前記第一取付孔又は前記第二取付孔と前記取付部との間には、プレート部分を任意の方向に向けて屈曲させるための切欠部が形成されていることが好ましい。
【００１２】
上記の歯列矯正用のインプラント構造によれば、プレート部分の第一取付孔又は第二取付孔と取付部との間に形成されている切欠部の部分を中心にして、該プレート部分を任意の方向に向けて屈曲させることができるので、屈曲された向きに応じて取付部の位置や向きが変わる。即ち、取付部に取り付けられる上部構造体の所望の姿勢に合わせて、取付部の位置や向きが自在に変更可能となる。そのため、ベースプレートを口腔内の顎骨に固定した後に、上部構造体の形状や用途に合わせて取付部の位置が容易に調整可能となる。
例えば、ベースプレートの固定位置が所定の位置とずれた場合であっても、取付部の位置が容易に変更されるので、ベースプレートを上部構造体に合わせて高い精度で位置決めして固定する必要がなく、大まかな位置に固定すればよいこととなる。従って、これらの作業が簡単になり、作業効率が向上し、手間と時間が低減される。
また、プレート部分における切欠部の形成位置、向き、形成箇所数等を変えることで、ベースプレートを所望の形状に屈曲させることが可能になる。
さらに、従来のように部品点数を増やさずに、上部構造体を所定の姿勢に位置決めすることができるので、複雑な構造にならず、コストの低減が図られる。
【００１３】
本発明の歯列矯正用のインプラント構造では、前記切欠部は、前記プレート部分の所定箇所の幅寸法を小さくして形成されていることが好ましい。
上記の歯列矯正用のインプラント構造によれば、プレート部分の幅寸法が小さく形成されている箇所を中心にしてプレート部分が屈曲し易くなる。
【００１４】
本発明の歯列矯正用のインプラント治具は、第一スクリューと、プレート固定具と、第二スクリューによって骨に対して間接的に固定可能に形成された歯列矯正用のインプラント治具であって、前記骨側に向けて配置される第一面と、前記第一面の反対側に配置される第二面と、を有する帯状体を備え、前記第一スクリューは、前記骨に埋め込まれるスクリュー本体と、該スクリュー本体の頭部にねじが形成された嵌合部と、前記スクリュー本体と嵌合部との間に形成されてスクリュー軸方向に直交する径方向外側に向けて前記スクリュー本体及び前記嵌合部よりも突出するストッパーと、を有し、前記第二スクリューは、前記骨に埋め込まれるスクリュー本体と、頭部と、を有し、前記帯状体には、前記第一面側から前記第一スクリューの嵌合部が嵌合し、且つ該嵌合部に設けられたねじに前記第二面側から前記プレート固定具を螺合可能とする第一取付孔と、前記前記第二面側から前記第二スクリューを挿入可能であって前記第二スクリューの頭部を係止可能とする第二取付孔と、が形成され、前記帯状体において、前記第二取付孔の周囲の前記第一面は、前記第一取付孔の周囲の前記第一面よりも前記ストッパーの厚みと同じ高さで前記第二面から離れる方向に突出している。
上記の歯列矯正用の治具によれば、骨に直接支持されず、第一スクリュー及び第二スクリューに直接支持され、ガタつくことなく、安定して固定される。従って、この治具に上部構造体、プレートやワイヤー等が安定して支持及び固定される。
【発明の効果】
【００１５】
本発明の歯列矯正用のインプラント構造によれば、ベースプレートを安定させて支持することができる。また、本発明の歯列矯正用の治具によれば、上記の歯列矯正用のインプラント構造に適用することができ、上部構造体、プレートやワイヤー等を用いた歯列矯正の効果を高めることができる。
【図面の簡単な説明】
【００１６】
【図１】本発明の一実施形態である歯列矯正用のインプラント構造の斜視図である。
【図２】本発明の一実施形態である歯列矯正用のインプラント構造の側面図である。
【図３】本発明の一実施形態である歯列矯正用のインプラント構造の平面図である。
【図４】本発明の一実施形態である歯列矯正用のインプラント構造を示す図であり、図３のＰ−Ｐ線で矢視した断面図である。
【図５】本発明の一実施形態である歯列矯正用のインプラント構造の第一スクリューの斜視図である。
【図６】本発明の一実施形態である歯列矯正用のインプラント構造の第二スクリューの斜視図である。
【図７】本発明の一実施形態である歯列矯正用のインプラント構造の第二スクリューの斜視図である。
【図８】本発明の一実施形態である歯列矯正用のインプラント構造の第二スクリューの側面図である。
【図９】本発明の一実施形態であるベースプレート（歯列矯正用のインプラント治具）の斜視図である。
【図１０】本発明の一実施形態であるベースプレート（歯列矯正用のインプラント治具）の平面図である。
【図１１】本発明の一実施形態であるベースプレート（歯列矯正用のインプラント治具）の側面図である。
【図１２】本発明の一実施形態であるベースプレート（歯列矯正用のインプラント治具）を示す図であり、図１０のＤ−Ｄ線で矢視した断面図である。
【図１３】本発明の一実施形態である歯列矯正用のインプラント構造の第一スクリュー及びプレート固定具の変形例を示す図であって、（ａ）は第一スクリューの側面図であり、（ｂ）はナット（プレート固定具）の側面図であり、（ｃ）は第一スクリュー及びナットによって固定されたベースプレートを平面視における第一スクリューの中心で第一スクリューのスクリュー軸方向に平行する方向に沿って切断した場合に対応する断面図である。
【図１４】本発明の一実施形態であるベースプレート（歯列矯正用のインプラント治具）の変形例を示す図であって、（ａ）から（ｅ）はベースプレートの第一変形例から第五変形例を示す平面図である。
【発明を実施するための形態】
【００１７】
以下、本発明を適用した歯列矯正用のインプラント構造（以下、単に「インプラント構造」とする）について、図面を参照して説明する。なお、以下の説明で用いる図面は模式的なものであり、長さ、幅、及び厚みの比率等は実際のものと同一とは限らず、適宜変更できる。
【００１８】
図１から図４は、本発明を適用した一実施形態（以下、「本実施形態」とする）であるインプラント構造２を示す図であって、図１は斜視図であり、図２は側面図であり、図３は平面図であり、図４は図３に示すＰ−Ｐ線で矢視した断面図である。
【００１９】
図１に示すように、インプラント構造２は、第一スクリュー６と、ビス１２と、第二スクリュー８と、ベースプレート（歯列矯正用のインプラント治具）４と、上部構造体１０と、ビス４０と、を備えている。
インプラント構造２は、口腔内の顎部の不図示の骨に埋め込ませて使用するためのものである。詳しくは、骨に第一スクリュー６及び第二スクリュー８を埋め込み、第一スクリュー６及び第二スクリュー８にベースプレート４を支持させ、ベースプレート４に上部構造体１０を接続及び固定して口腔内に配置し、上部構造体１０に不図示の矯正用ブラケット等をろう着等により固着し、それに不図示の矯正用ワイヤー、エラスティックス、スプリング等を介して所定の歯（図示略）に接続することで、歯を所定の方向に移動させるために使用するものである。
【００２０】
図５は、第一スクリュー６の斜視図である。
第一スクリュー６は、例えばチタン、チタン合金等の生体親和性の高い材料から構成されている部材である。第一スクリュー６は、第一頭部６ａと、第一頭部６ａからスクリュー軸方向Ｄ６に沿って突出し、骨に埋め込まれる第一スクリュー本体６ｂと、を有する。ここで、第一頭部６ａ、第一スクリュー本体６ｂはそれぞれ、本願の第一スクリューの頭部、スクリュー本体に相当する。
【００２１】
第一頭部６ａは、雌ねじ（ねじ）が形成された嵌合部１４を有する。この雌ねじは、第一頭部６ａの上面側に開口し、該上面からスクリュー軸方向Ｄ６に沿って形成された凹部の側壁に、頭部６ａの内部を第一スクリュー本体６ｂに向かって進入するように形成されている。なお、この雌ねじの第一頭部６ａの上面からのスクリュー軸方向Ｄ６における深さ寸法（長さ寸法）は、後述するビス（プレート固定具）１２の雄ねじの全体が螺合可能であれば、特に限定されない。
本実施形態では、雌ねじの進入方向の先端は第一スクリュー本体６ｂの内部には達していないが、凹部の第一頭部６ａの上面からの深さ方向の底端は、第一スクリュー本体６ｂの内部に達している。
【００２２】
本実施形態では、第一頭部６ａの全体が嵌合部１４をなし（図４参照）、六角柱状に形成されている。嵌合部１４の平面視形状は特に限定されないが、例えば多角形であれば、それに合わせて後述するベースプレート４の第一取付孔２４Ａ，２４Ｂ（図１及び図１０参照）の内周形状が多角形とされた場合に、互いの多角形の角部が係止され、嵌合部１４の周方向におけるベースプレート４の回転が効果的に抑えられる。
【００２３】
第一スクリュー本体６ｂの外周部には、雄ねじが形成されている。第一スクリュー本体６ｂのスクリュー軸方向Ｄ６における長さ寸法は、骨に埋め込まれた際に第一スクリュー６が骨に安定して支持されれば、特に限定されない。第一スクリュー本体６ｂにおいて第一頭部６ａからのスクリュー軸方向Ｄ６に沿う突出端部は先細りしている。本実施形態では該突出端部の先細り部分の内角は１２０度とされているが、適切な角度に設定されればよい。
【００２４】
また、第一スクリュー６には、スクリュー軸方向Ｄ６で嵌合部１４より第一スクリュー本体６ｂ側の位置にストッパー１６が設けられている。
ストッパー１６は、第一頭部６ａ側の第一スクリュー本体６ｂの端部からスクリュー軸方向Ｄ６に直交する径方向Ｄ７に向けて突出するように形成されている。スクリュー軸方向Ｄ６に沿って断面視すると、嵌合部１４側のストッパー１６の上面１６ｕは径方向Ｄ７に平行をなしているが、第一スクリュー本体６ｂ側のストッパー１６の下面１６ｄは径方向Ｄ７に拡径した先端部から基端部に向かうに従い、第一スクリュー本体６ｂの埋め込み方向の先端６ｃ側に漸次近づいている。このような形状で形成されていることで、第一スクリュー本体６ｂが骨に対して容易に埋め込まれ、矯正者への負担も軽減される。
なお、本実施形態のストッパー１６は第一スクリュー本体６ｂの周方向の全体から径方向Ｄ７に向けて突出するように、即ち環状に形成されているが、ストッパー１６は第一スクリュー本体６ｂの周方向の一部のみから突出するように形成されていてもよい。
【００２５】
ビス１２は、例えばチタン、チタン合金等の生体親和性の高い材料から構成されている部材である。図４に示すように、ビス１２は、第一スクリュー６の嵌合部１４に形成された雌ねじに螺合可能な部材であって、頭部１２ａと、頭部１２ａから軸方向Ｄ１２に沿って突出するビス本体１２ｂと、を有する。
【００２６】
頭部１２ａには、ビス１２を第一スクリュー６に取り付ける際に工具等を挿入させる目的で、平面視で十字形状をなす溝（以下、十字溝とする場合がある）２２が形成されている（図３参照）。十字溝２２に接する頭部１２ａの中央上端部は面取りされている。なお、ビス１２の取り扱い及び第一スクリュー６への取り付けの容易性を阻害しなければ、頭部１２ａや溝２２の形状は特に限定されない。
【００２７】
ビス本体１２ｂの外周部には、第一スクリュー６の第一頭部６ａに形成された雌ねじに螺合可能な雄ねじが形成されている。
ビス本体１２ｂに形成された雄ねじの軸方向Ｄ１２における長さ寸法は、ビス１２の頭部１２ａと第一スクリュー６のストッパー１６との間で後述するベースプレート４が安定して支持されれば、特に限定されない。
【００２８】
図６から図８は、第二スクリュー８を示す図であって、図６は斜視図であり、図７は図６とは別の方向から見た場合の斜視図であり、図８は側面図である。
第二スクリュー８は、例えばチタン、チタン合金等の生体親和性の高い材料から構成されている部材である。第二スクリュー８は、第二頭部８ａと、第二頭部８ａからスクリュー軸方向Ｄ８に沿って突出し、骨に埋め込まれる第二スクリュー本体８ｂと、を有する。ここで、第二頭部８ａは、本願の第二スクリューの頭部に相当する。
【００２９】
第二頭部８ａは当接面１８を有する。当接面１８は第二頭部８ａの側壁の周方向全体に設けられている。
図６から図８に示すように、第二頭部８ａは第二スクリュー本体８ｂとの連結位置では第二スクリュー本体８ｂと同等の径寸法とされ、第二スクリュー本体８ｂからスクリュー軸方向Ｄ８に沿って離間するのに従って径寸法が拡大するように形成されている。
【００３０】
第二頭部８ａには、第二スクリュー８を骨に埋め込む際に工具等を挿入させる目的で、十字溝２２が形成されている。十字溝２２に接する第二頭部８ａの中央上端部は面取りされている。なお、第二スクリュー８の取り扱い及び骨への埋め込みの容易性を阻害しなければ、第二頭部８ａや溝２２の形状は特に限定されない。
【００３１】
第二スクリュー本体８ｂの外周部には、雄ねじが形成されている。第二スクリュー本体８ｂのスクリュー軸方向Ｄ８における長さ寸法は、骨に埋め込まれた際に第二スクリュー８が骨に安定して支持されれば、特に限定されない。第二スクリュー本体８ｂにおいて第二頭部８ａからのスクリュー軸方向Ｄ８に沿う突出端部は先細りしている。本実施形態では該突出端部の先細り部分の内角は１２０度とされているが、適切な角度に設定されればよい。
本実施形態では、骨にできるだけねじ切りして第二スクリュー８を安定させる目的で、第二スクリュー本体８ｂの外周部に形成された雄ねじが第二頭部８ａの第二スクリュー本体８ｂ側の端部にも進入して形成されている。
【００３２】
図９から図１２は、ベースプレート４を示す図であって、図９は斜視図であり、図１０は平面図であり、図１１は側面図であり、図１２は図１０に示すＤ−Ｄ線で矢視した断面図である。
ベースプレート４は、例えばチタン、チタン合金等の生体親和性の高い材料から構成されている部材である。図９から図１２に示すように、ベースプレート４は、所定の肉厚を有する長尺状（帯状体）を呈し、口腔内の顎骨等の骨側に向けて配置される第一面４ｐと、その反対側に配置される第二面４ｑと、を有する。
【００３３】
ベースプレート４の長手方向の端部４ｃには、長手方向に所定の間隔をあけて複数（本実施形態の図示例では合計三個）の第一取付孔２４Ａ，２４Ｂ及び第二取付孔２６が形成されている。本実施形態では、ベースプレート４の長手方向に沿って、ベースプレート４の端部４ｃ側の略半分の部分に、二つの第一取付孔２４Ａ，２４Ｂの間に第二取付孔２６が配置されている。なお、第一取付孔２４Ａ，２４Ｂ及び第二取付孔２６の配置は、特に限定されない。
【００３４】
第一取付孔２４Ａ，２４Ｂは、第一面４ｐ側から第一スクリュー６の嵌合部１４が嵌合するように形成されている。
本実施形態では、第一取付孔２４Ａの内周は、平面視において第一スクリュー６の第一頭部６ａ（即ち本実施形態では、嵌合部１４）と同じ断面形状である六角形状をなすように形成され、第一取付孔２４Ａに嵌合部１４が嵌合可能とされている。
また、第一取付孔２４Ｂの内周も平面視において六角形状をなすように形成されているが、ベースプレート４の長手方向に平行に延びる辺が長い長孔をなしている。このように第一取付孔２４Ｂがベースプレート４の長手方向において長穴とされていることで、二本の第一スクリュー６，６間の距離が一定でない場合や、互いにスクリュー軸方向Ｄ６同士を平行に配置させた状態で埋め込むことができない場合であっても、一方の第一スクリュー６の嵌合部１４を第一取付孔２４Ａに嵌合させ、他方の第一スクリュー６の嵌合部１４を長穴の範囲内において第一取付孔２４Ｂに嵌合させて、ベースプレート４をこれらのスクリューに取り付けることができる。
【００３５】
第一取付孔２４Ａ，２４Ｂの内周縁には、第二面４ｑ側において、開口内に突出する縁部２５が設けられている。縁部２５は、第一スクリュー６の嵌合部１４に形成された雌ねじにビス１２のビス本体１２ｂに形成された雄ねじが螺合した際に、嵌合部１４とビス１２の頭部１２ａとの間に挟持される（図４参照）。
【００３６】
第二取付孔２６は、第二面４ｑ側から第二スクリュー８の第二スクリュー本体８ｂ及び第二頭部８ａがこの順に挿入され、第二頭部８ａが孔内で係止するように形成されている。
本実施形態では、第二取付孔２６は第二スクリュー８の第二頭部８ａの外形に沿うように第一面４ｐ側から第二面４ｑ側に向けて拡径されている。従って、第二取付孔２６の側壁には、第一面４ｐ側から第二面４ｑ側に向けて拡径された座面２７が形成されている。座面２７には、第二スクリュー８の当接面１８が当接可能とされている。
【００３７】
図２及び図１１、図１２に示すように、本実施形態では、ベースプレート４の長手方向において、第二取付孔２６が形成されている部分は、第二スクリュー８を挿入した際に第二スクリュー本体８ｂが突出する方向に突出するように僅かに屈曲している。第二取付孔２６が形成されている部分の突出高さ寸法は、第一スクリュー６のストッパー１６の厚み寸法と略同等とされている。このように屈曲していることで、第一スクリュー６及び第二スクリュー８によって、ベースプレート４が支持された際に、第二取付孔２６が形成されている部分の第一面４ｐと第一スクリュー６のストッパー１６の下面１６ｄとが（即ち、図２に示す仮想線Ｌ１が）骨の上面に当接し、ベースプレート４の位置決めが容易になされる。
なお、図２に示すベースプレート４は一例であり、ベースプレート４は屈曲していなくてもよい。
【００３８】
本実施形態では、ベースプレート４の長手方向に沿って、第一取付孔２４Ａと第二取付孔２６との間、及び、第一取付孔２４Ｂと第二取付孔２６との間のベースプレート４の幅寸法は縮小され、ベースプレート４の軽量化が図られている。また、容易に曲げることができるようになっている。
また、第一取付孔２４Ａ，２４Ｂ及び第二取付孔２６が形成されていないベースプレート４の長手方向の端部４ｄには、ベースプレート４の軸線を挟んで対向する切欠部３０，３０が形成され、後述する上部構造体１０をベースプレート４に取り付けるための取付部３２が設けられている。
【００３９】
一対の切欠部３０，３０は、ベースプレート４の幅寸法が両側から小さくなるように、ベースプレート４の周縁を幅方向中心に向けて略半円状に切り欠くことによって形成されている。このような構成によれば、ベースプレート４の第一取付孔２４Ａ，２４Ｂ及び第二取付孔２６を固定して、取付部３２側に図１０の矢印Ｄ４１方向に力を加えることで、切欠部３０の形成位置を中心にしてベースプレート４の取付部３２側が矢印Ｄ４１方向に屈曲し易くなる。同様に、取付部３２側に図１０の矢印Ｄ４２方向に力を加えることで、切欠部３０の形成位置を中心にしてベースプレート４の取付部３２側が矢印Ｄ４２方向にも屈曲し易くなる。
【００４０】
図示していないが、ベースプレート４の第一面４ｐ又は第二面４ｑには、幅方向全体にわたってベースプレート４の板厚を薄くして形成された切欠部が設けられていてもよい。
【００４１】
図９から図１２に示すベースプレート４は、ベースプレート４の第一取付孔２４Ａ，２４Ｂ及び第二取付孔２６が形成されている略半分を固定して、取付部３２側を図１１の矢印Ｄ４３方向に沿って折り曲げるように取付部３２側に力が加えられ、さらに図１１の矢印Ｄ４４方向に沿って折り曲げるように取付部３２側の先端部に力が加えられることで、図１から図４に示すように、長手方向において二箇所で略垂直に屈曲された所謂クランク形状のベースプレート４とされている。但し、ベースプレート４は、第一スクリュー６、ビス１２及び第二スクリュー８を用いて、図９から図１２に示す形状で骨の上方等に支持され、固定された後に屈曲されてもよい。
【００４２】
取付部３２は、ベースプレート４の第二面４ｑ側に所定の寸法で突出するように設けられている。また、図１０に示すように、取付部３２は平面視で周方向において等間隔に複数個（本実施形態の図示例では八個）の突起を有する所謂星形に形成されている。取付部３２の中心には、取付部３２を貫通する貫通孔が形成され、この貫通孔はベースプレート４を貫通している。取付部３２の貫通孔の側壁には、雌ねじが形成されている。
ベースプレート４において取付部３２が設けられている部分は、平面視で拡径するように形成されている。
なお、取付部３２は、ベースプレート４の第一面４ｐ側に所定の寸法で突出するように設けられていてもよい。また、取付部３２は、複数設けられていてもよい。
【００４３】
図１から図４に示すように、上部構造体１０はＳＵＳ（ステンレス）等の生体親和性の高い材料から構成されている部材である。図１から図４に示すように、本実施形態の上部構造体１０は所定の肉厚を有する帯状体を呈している。
【００４４】
上部構造体１０の長手方向の中央には、基部１１が設けられている。基部１１には、ベースプレート４に設けられている取付部３２の星形の突起に対応した形状で挿入孔２３が形成されている。これにより、上部構造体１０の挿入孔２３がベースプレート４の取付部３２に挿入された際には、ベースプレート４に対する上部構造体１０の挿入時の角度が安定して保たれる。本実施形態では、平面視において取付部３２は突起数８の略星形に形成されているので、４５度の角度の間隔でベースプレート４に対する上部構造体１０の取り付け角度が変えられる。
【００４５】
なお、上部構造体１０の形状は、ベースプレート４の取付部３２に取り付け可能であれば、特に限定されない。例えば、上部構造体１０の長手方向において一方の端部側に基部１１が設けられ、上部構造体１０がベースプレート４の取付部３２に取り付けられた際に、取付部３２から一方向のみに延びていても構わない。
また、上部構造体１０は、不図示の矯正用ブラケット等をろう着等により固着し、それに不図示の矯正用ワイヤー、エラスティックス、スプリング等を接続するための構成をさらに備えていてもよい。
【００４６】
ビス４０は、例えばチタン、チタン合金等の生体親和性の高い材料から構成されている部材である。ビス４０は、ベースプレート４の取付部３２に形成された雌ねじに螺合可能な部材であって、頭部４０ａと、頭部４０ａから軸方向Ｄ４０に沿って突出するビス本体４０ｂと、を有する。
【００４７】
頭部４０ａには、ビス４０をベースプレート４の取付部３２に取り付ける際に工具等を挿入させる目的で、十字溝２２が形成されている。十字溝２２に接する頭部４０ａの中央上端部は面取りされている。なお、ビス４０の取り扱い及び取付部３２への取り付けの容易性を阻害しなければ、頭部４０ａや溝２２の形状は特に限定されない。
【００４８】
ビス本体４０ｂの外周部には、ベースプレート４の取付部３２に形成された雌ねじに螺合可能な雄ねじが形成されている。
ビス本体４０ｂに形成された雄ねじの軸方向Ｄ４０（図２及び図４参照）における長さ寸法は、本実施形態ではベースプレート４の取付部３２に形成された雌ねじのベースプレート４の厚み方向（即ち、第二面４ｑ側から第一面４ｐ側に向かう方向）における深さ寸法よりも小とされている。なお、この雄ねじの軸方向Ｄ４０における長さ寸法は、特に限定されず、ビス４０が安定してベースプレート４に支持可能とされていれば、特に限定されない。
【００４９】
次いで、図１から図４を参照し、インプラント構造２を口腔内の顎部等の不図示の骨に埋め込ませる方法（以下、単に埋め込み方法とする場合がある）を説明する。
【００５０】
インプラント構造２を骨に埋め込む際には、先ず、歯列矯正を行うべき患者の口腔内の顎の骨（例えば、上顎の口蓋骨の中央部等）に対してインプラント構造２のアンカー位置（即ち、第一スクリュー６及び第二スクリュー８の埋め込み位置）を決定する。そして、専用のドライバ（図示略）等の工具を使用し、所定数（本実施形態では二本）の第一スクリュー６を、骨に対して所定の間隔をあけて回転させながらスクリュー軸方向Ｄ６に埋め込む。この際、第一スクリュー６のストッパー１６の下面が骨又は粘膜に接触する位置でねじ込みを終了させる。このとき、ストッパー１６が骨又は粘膜の表面に当接した状態となっているので、第一スクリュー６が骨に沈み込むことを防ぐことができる。
【００５１】
次に、埋め込んだ二本の第一スクリュー６，６のうち一本の第一スクリュー６の嵌合部１４にベースプレート４の第一取付孔２４Ａを嵌合させ、もう一本の第一スクリュー６の嵌合部１４に第一取付孔２４Ｂを嵌合させ、第一面４ｐを骨側に向けた状態でベースプレート４を配置する。この際、例えば二本の第一スクリュー６，６の各々のスクリュー軸方向Ｄ６が互いに平行でない状態であっても、第一取付孔２４Ｂの長軸方向の範囲内で二本の第一スクリュー６，６にベースプレート４を取り付けることができ、高精度なスクリューの埋め込み作業が不要となり、作業の簡略化が図られる。
【００５２】
次に、専用のドライバ（図示略）等の工具を使用し、ビス１２のビス本体１２ｂに形成された雄ねじを嵌合部１４に形成された雌ねじに螺合させることで、ベースプレート４を固定し、第一スクリュー６によって支持させる。なお、前述のように埋め込んだ二本の第一スクリュー６，６の各々のスクリュー軸方向Ｄ６が互いに平行でない状態であっても、ベースプレート４がチタン等から構成されていることによって、ベースプレート４を適宜湾曲させ、第一取付孔２４Ａ，２４Ｂの位置を嵌合部１４，１４に合わせて調整することができる。
【００５３】
次に、専用のドライバ（図示略）等の工具を使用し、第二スクリュー８の第二スクリュー本体８ｂ側を、ベースプレート４の第二取付孔２６に第二面４ｑ側から挿入し、第一面４ｐ側から突出した部分を回転させながらスクリュー軸方向Ｄ８に埋め込む。この際、第二スクリュー８の当接面１８が第二取付孔２６の座面２７に当接する位置でねじ込みを終了させる。
【００５４】
次に、上部構造体１０の挿入孔２３をベースプレート４の取付部３２に挿通させる。
続いて、専用のドライバ（図示略）等の工具を使用し、ビス４０のビス本体４０ｂに形成された雄ねじを取付部３２に形成された雌ねじに螺合させることで、上部構造体１０をベースプレート４に固定する。
この後、上部構造体１０に対して、不図示の矯正用ブラケット等をろう着等により固着し、それに不図示の矯正用ワイヤー、エラスティックス、スプリング等の歯列固定具を接続する。また、これらの歯列固定具と矯正対象の歯又は歯列とを連結させる。
以上の工程によって、インプラント構造２を口腔内の顎部等の不図示の骨に埋め込ませ、かつ矯正対象の歯又は歯列をインプラント構造２に固定することができる。
【００５５】
例えば、歯を異なった方向から引っ張って動かしたい場合、あるいは動かしたい歯を変更する場合は、ビス４０を緩める、又は取付部３２から抜き、上部構造体１０を取付部３２の上方に取り外し、取付部３２の星形に対する元の配置角度から適当な角度へ変更することで、上部構造体１０のベースプレート４に対する角度を変更し、対応することができる。
【００５６】
上記説明した本実施形態のインプラント構造２によれば、第一スクリュー６を顎骨等の骨に埋め込み、該骨から突出した嵌合部１４に第一取付孔２４Ａ，２４Ｂを第一面４ｐ側から嵌合させれば、ベースプレート４が第一スクリュー６に取り付けられる。そして、ベースプレート４の第二面４ｑ側から第一スクリュー６の雌ねじにビス１２の雄ねじを螺合させると、ベースプレート４が第一スクリュー６に固定される。このようにして、ベースプレート４は、第一スクリュー６とビス１２との間に挟持され、骨ではなく、第一スクリュー６に直接支持される。
一方、第二スクリュー８をベースプレート４の第二面４ｑ側から第二取付孔２６に挿通するとともに、第一面４ｐから挿通方向前方に突出した部分を顎骨等の骨に埋め込むことで、ベースプレート４は、第二スクリュー８の第二頭部８ａによって、第二面４ｑ側から第一面４ｐ側に向かう方向に押圧され、第二スクリュー８にも直接支持される。
このような構成では、第一スクリュー６及び第二スクリュー８が骨から抜けることなく、骨に強く固定されるとともに、ベースプレート４が骨に直接支持されず、第一スクリュー６及び第二スクリュー８によって安定して支持される。そのため、ベースプレート４のガタつきをなくすことができる。
【００５７】
上記のように、ベースプレート４が骨に直接支持されず、第一スクリュー６及び第二スクリュー８に安定して直接支持させることで、ベースプレート４に上部構造体１０、プレートやワイヤー等を安定して固定することができる。
【００５８】
本実施形態のインプラント構造２によれば、第一スクリュー６にストッパー１６が設けられていることで、ベースプレート４がその厚み方向において第一スクリュー６のストッパー１６とビス１２の頭部１２ａとの間に挟持されるので、ベースプレート４をより安定して支持することができる。
【００５９】
また、本実施形態のインプラント構造２によれば、第二スクリュー８が当接面１８を備え、第二スクリュー８がベースプレート４の第一面４ｐ側から第二面４ｑ側に向けて挿通された際に、当接面１８が座面２７に当接する。これにより、第二スクリュー８の第二頭部８ａによってベースプレート４が第二面４ｑ側から第一面４ｐ側に向かう方向に押圧される際の第二スクリュー８とベースプレート４とが互いに当接する面積をより大きくし、該方向において第二スクリュー８のベースプレート４に対する支持を安定させ、強くすることができる。
【００６０】
また、本実施形態のインプラント構造２によれば、ベースプレート４に切欠部３０，３０が形成されているので、切欠部３０，３０の部分を中心にして、該プレート部分を任意の方向に向けて屈曲させることができる。従って、屈曲された向きに応じて取付部３２の位置や向きを変え、上部構造体の所望の姿勢に合わせることができる。即ち、ベースプレート４を骨に固定した後に、上部構造体１０の形状や用途に合わせて取付部３２の位置を容易に調整することができる。従って、ベースプレート４の取付作業が簡単になり、作業効率を向上させるとともに、手間と時間を低減することができる。
また、プレート部分における切欠部３０，３０の形成位置、向き、形成箇所数等を変えることで、ベースプレートを所望の形状に屈曲させることが可能になる。
さらに、従来のように部品点数を増やさずに、上部構造体１０を所定の姿勢に位置決めすることができるので、インプラント構造２が複雑な構造にならず、コストの低減も図ることができる。
【００６１】
また、本実施形態のインプラント構造２によれば、ベースプレート４のプレート部分が長尺状の簡単な形状であるので、ベースプレート４の製造及び加工が容易となるうえ、骨に固定する際の取り扱いをより簡便にすることができる。
また、本実施形態のインプラント構造２によれば、ベースプレート４にその幅寸法を縮小する切欠部３０，３０が形成されているので、プレート部分の幅寸法が小さく形成されている箇所を中心にしてプレート部分を屈曲し易くなる。
【００６２】
上記説明した本実施形態のベースプレート（歯列矯正用のインプラント治具）４は、骨から突出した第一スクリュー６の嵌合部１４に第一取付孔２４Ａ，２４Ｂを第一面４ｐ側から嵌合し、第二面４ｑ側から第一スクリュー６の雌ねじにビス１２の雄ねじを螺合することで、骨ではなく、第一スクリュー６及びビス１２によって骨の上方に支持される。また、第二スクリュー８が第二面４ｑ側から第二取付孔２６に挿通され、第一面４ｐから挿通方向前方に突出した部分が骨に埋め込まれることで、第二面４ｑ側から第一面４ｐ側に向かう方向に押圧され、第二スクリュー８にも直接支持される。
上記のように、本実施形態のベースプレート４によれば、骨に直接支持されず、第一スクリュー６及び第二スクリュー８に安定して直接支持されるので、上記説明した種々の効果が得られる。
【００６３】
以上、本発明の好ましい実施形態について詳述したが、本発明は係る特定の実施形態に限定されるものではなく、特許請求の範囲内に記載された本発明の要旨の範囲内において、種々の変形・変更が可能である。
【００６４】
図１３は、第一スクリュー６及びプレート固定具（即ち、ビス１２）の変形例を示す図であって、（ａ）は第一スクリュー６Ｂの側面図であり、（ｂ）はナット（プレート固定具）１３の側面図であり、（ｃ）は第一スクリュー６Ｂ及びナット１３によって固定されたベースプレート４を平面視における第一スクリュー６Ｂの中心で第一スクリュー６Ｂのスクリュー軸方向Ｄ６に平行する方向に沿って切断した場合に対応する断面図である。なお、図１３（ａ）から（ｃ）において、第一スクリュー６及びビス１２の構成要素と同様の機能を有する第一スクリュー６Ｂ及びナット１３の構成要素については、第一スクリュー６及びビス１２の構成要素と同一の符号を付し、その説明を省略する。
【００６５】
図１３（ａ）に示すように、第一スクリュー６Ｂの第一頭部６ａには雄ねじが形成されている。一方、プレート固定具として上記実施形態におけるビス１２に替えて用いられるナット１３には、図１３（ｂ）に示すように、雌ねじが形成されている。
このような構成では、図１３（ｃ）に示すように、上記実施形態と同様に第一スクリュー６Ｂの第一スクリュー本体６ｂを骨に埋め込み、骨から突出した嵌合部１４に第一取付孔２４Ａ（または第一取付孔２４Ｂ）を第一面４ｐ側から嵌合させれば、ベースプレート４が第一スクリュー６Ｂに取り付けられる。そして、ベースプレート４の第二面４ｑ側から第一スクリュー６Ｂの第一頭部６ａの雄ねじにナット１３の雌ねじを螺合させると、ベースプレート４が第一スクリュー６Ｂに固定される。このようにして、ベースプレート４は、第一スクリュー６Ｂとナット１３との間に挟持され、骨ではなく、第一スクリュー６Ｂに直接支持される。
従って、上記の第一変形例の構成によれば、上記実施形態と同様に、第一スクリュー６Ｂ及び第二スクリュー８が骨から抜けることなく、骨に強く固定されるとともに、ベースプレート４が骨に直接支持されず、第一スクリュー６Ｂ及び第二スクリュー８によって安定して支持されるため、ベースプレート４のガタつきをなくすことができる。
【００６６】
図１４は、ベースプレート４の変形例を示す図であって、（ａ）から（ｅ）はベースプレート４の第一変形例から第五変形例を示す平面図である。
図示するように、本発明のベースプレート４に形成される第一及び第二取付孔の数及び配置、取付部３２の数及び配置はそれぞれ特に限定されず、歯列矯正に応じて適宜変更することができる。例えば、図１４（ａ）に示すように、第一変形例のベースプレート４Ａの一方の端部４ｄから他方の端部４ｃに向けて長手方向に沿って取付部３２、第一取付孔２４Ａ、第二取付孔２６、第一取付孔２４Ｂが順次形成されていてもよい。また、図１４（ｂ）に示すように、第二変形例のベースプレート４Ｂの一方の端部４ｄから他方の端部４ｃに向けて長手方向に沿って第一取付孔２４Ａ、取付部３２、第一取付孔２４Ｂ、第二取付孔２６が順次形成されていてもよい。また、図１４（ｃ）に示すように、第三変形例のベースプレート４Ｃの一方の端部４ｄから他方の端部４ｃに向けて長手方向に沿って第一取付孔２４Ａ、第二取付孔２６、取付部３２、第二取付孔２６、第一取付孔２４Ｂが順次形成されていてもよい。また、図１４（ｄ）に示すように、第四変形例のベースプレート４Ｄの一方の端部４ｄから他方の端部４ｃに向けて長手方向に沿って第一取付孔２４Ｂ、第二取付孔２６、取付部３２、第一取付孔２４Ｂ、第二取付孔２６が順次形成されていてもよい。
さらに、図１４（ｅ）に示すように、第五変形例のベースプレート４Ｅは互いに直交する二方向に延びている。二方向のうち一の方向（即ち、図１４（ｅ）に示す長軸方向）に延びている部分には、一方の端部４ｄから他方の端部４ｃに向けて長軸方向に沿って第一取付孔２４Ｂ、取付部３２、第一取付孔２４Ａが順次形成され、取付部３２を共有し且つ前記長軸方向に直交する短軸方向に沿って第二取付孔２６が順次形成されていてもよい。このようにベースプレート４は長尺以外の形状で形成されていてもよく、ベースプレート４の平面視形状は特に限定されず、歯列矯正に応じて適宜変更することができる。
【００６７】
即ち、本発明のインプラント構造においては、第一スクリュー６，６Ｂによって下方からベースプレート４を支持すると共にプレート固定具で固定し、第二スクリュー８によって上方からベースプレート４を支持し、取付部３２を介して上部構造体１０をベースプレート４に取り付け可能とすることで、上述した効果が得られる。そして、ベースプレート４、第一スクリュー６及び第二スクリュー８等の設計条件は、歯列矯正に応じて自由に変更することができる。
【符号の説明】
【００６８】
２…インプラント構造（歯列矯正用のインプラント構造）
４，４Ａ，４Ｂ，４Ｃ，４Ｄ，４Ｅ…ベースプレート（歯列矯正用のインプラント治具）
４ｐ…第一面
４ｑ…第二面
６，６Ｂ…第一スクリュー
６ａ…第一頭部（第一スクリューの頭部）
６ｂ…第一スクリュー本体（第一スクリューのスクリュー本体）
８…第二スクリュー
８ａ…第二頭部（第二スクリューの頭部）
８ｂ…第二スクリュー本体
１０…上部構造体
１２…ビス（プレート固定具）
１３…ナット（プレート固定具）
１４…嵌合部
１８…当接面
２４Ａ，２４Ｂ…第一取付孔
２６…第二取付孔
２７…座面
３０，３０…切欠部
３２…取付部
Ｄ６，Ｄ８…スクリュー軸方向
【図１】
0006786202.tif 000002
【図２】
0006786202.tif 000003
【図３】
0006786202.tif 000004
【図４】
0006786202.tif 000005
【図５】
0006786202.tif 000006
【図６】
0006786202.tif 000007
【図７】
0006786202.tif 000008
【図８】
0006786202.tif 000009
【図９】
0006786202.tif 000010
【図１０】
0006786202.tif 000011
【図１１】
0006786202.tif 000012
【図１２】
0006786202.tif 000013
【図１３】
0006786202.tif 000014
【図１４】
0006786202.tif 000015